(57)【要約】【課題】本発明は、コストアップなしに、通路幅調整板の撓みの強度を向上でき、商品販売トラブルの発生を防止できる自動販売機の通路幅調整装置を提供する。【解決手段】上下の各平行リンク機構Ｋの揺動リンク６の先端側をそれぞれ内方に折り曲げて、揺動リンク６の他端部に相当する両連結軸６Ｆ’を形成し、互いに内側に対向させて、これら両連結軸６Ｆ’はそれぞれ、両取付フランジ部５Ｅの長孔８に対して外方から、第１揺動軸芯Ｘ１周りで相対回動自在に係合保持され、さらに下方の平行リンク機構Ｋの揺動リンク６の両連結軸６Ｆ’は、収納搬送路Ｓにおける商品排出装置Ａが対向して設けられている箇所に臨む位置に係止され、下方の平行リンク機構Ｋの揺動リンク６は、収納搬送路Ｓ側から見て通路幅調整板５の裏側になるように配設される。【選択図】図２
2007293638.tif 000002
【特許請求の範囲】
【請求項１】
上下方向に延びた互いに向かい合う一対の側板により商品の通路幅が規定され、複数の商品を略上下方向に積み重ねて収納する収納搬送路と、前記収納搬送路内に積み重ねられた状態で収納された商品のうち下端より２番目の商品の搬出を規制しながらこの収納搬送路内の下端の商品を排出する商品排出装置を備えた自動販売機に設けられ、前記収納搬送路の有効通路幅を調整する通路幅調整装置であって、
前記収納搬送路の一方の側板に対して、前記通路幅の方向に位置調整自在に配設された通路幅調整板と、
一側端が前記収納搬送路の一方の側板に取り付けられ、他側端が前記通路幅調整板の取り付けられた側面視略コ字形状の複数のリンクを有し、前記通路幅調整板を前記収納搬送路の一方の側板に対して略平行に支持するリンク機構と
を備え、
前記リンクの他端部をなす側面視略コ字形状の両端部を互いに内側に対向し、かつこれら両端部が前記収納搬送路側から見て通路幅調整板の裏側になるように配設したこと
を特徴とする自動販売機の通路幅調整装置。
【請求項２】
前記通路幅調整板に、前記収納搬送路の一方の側板側に屈曲された一対の突出片部を形成し、
これら一対の突出片部にそれぞれ、前記リンクの両端部を上下方向へ案内する長孔を設け、
前記収納搬送路の一方の側板に、前記通路幅調整板が前記一方の側板側に接近した際に、前記各突出片部をそれぞれ前記収納搬送路の一方の側板の裏面側に突出させる挿通孔を形成し、
少なくとも1つの前記突出片部に、前記通路幅調整板が持ち上げられた際に、前記挿通孔の上端壁面に当接して通路幅調整板を前記収納搬送路の一方の側板から離反させるテーパ面を形成したこと
を特徴とする請求項１記載の自動販売機の通路幅調整装置。
【請求項３】
前記通路幅調整板に、前記収納搬送路の一方の側板側に屈曲された一対の突出片部を形成し、
これら一対の突出片部にそれぞれ、前記リンクの両端部を上下方向へ案内する長孔を設け、
前記収納搬送路の一方の側板に、前記通路幅調整板が前記一方の側板側に接近した際に、前記各突出片部をそれぞれ前記収納搬送路の一方の側板の裏面側に突出させる挿通孔を形成し、
少なくとも1つの前記挿通孔の上端壁面に、前記通路幅調整板が持ち上げられた際に、前記突出片部に当接して通路幅調整板を前記収納搬送路の一方の側板から離反させるテーパ面を形成したこと
を特徴とする請求項１記載の自動販売機の通路幅調整装置。
【請求項４】
前記通路幅調整板に、この通路幅調整板を配設する収納搬送路と異なる収納搬送路に取り付けようとした場合に、前記商品排出装置の上方に設けた案内部品または商品排出装置に当接して取り付け不能とする取り付け収納搬送路識別用の突起部を形成したこと
を特徴とする請求項１〜請求項３のいずれか１項に記載の自動販売機の通路幅調整装置。
【発明の詳細な説明】
【技術分野】
【０００１】
本発明は、自動販売機の通路幅調整装置に関するものである。
【背景技術】
【０００２】
自動販売機には、商品を上方に直積みした状態で収納することができる収納搬送路の通路有効幅を、商品に応じて調整可能とするために通路幅調整装置が設けられている。
このような自動販売機の通路幅調整装置の一例が、特許文献１に開示されている。この特許文献１に開示されている自動販売機およびその通路幅調整装置を、図６〜図１０に基づいて説明する。
【０００３】
断熱壁で囲繞される自動販売機（キャビネット）の庫内には、前後方向に２列の収納搬送路Ｓを形成している３台のコラムユニットＵが、前後方向から吊下げ状態で脱着可能に組付けられている。前記収納搬送通路Ｓには、飲料缶や飲料瓶、ペットボトル等の複数の商品Ｇを下方に払出し可能な状態でほぼ上下方向に沿って積み重ねて収納される。
【０００４】
そして、各コラムユニットＵの収納搬送路Ｓの上部には、商品Ｇを投入する商品投入口１が前方に向かって開口され、各収納搬送路Ｓの下部には、商品排出装置Ａが設けられている。また各コラムユニットＵには、商品Ｇの（最大）通路幅を規定する左右一対の側板２が設けられ、各収納搬送路Ｓには、一方の側板２に対して通路幅Ｗ方向に位置調整自在に配設され、収納搬送路Ｓの商品Ｇの有効通路幅を規定する通路幅調整板５が設けられている。
【０００５】
また前記各商品投入口１には、投入された商品Ｇを転動しながら収納搬送路Ｓの上部に移入する商品導入ガイド４が、通路幅調整板５と連結され通路幅調整板５とともに位置調整自在に設けられており、商品投入口１から投入された商品Ｇは、この商品導入ガイド４上を転動しながら収納搬送路Ｓの上部に移入し、収納搬送路Ｓ内に上下方向に沿って配設された多数の湾曲ガイド板３を介して蛇行しながら商品排出装置Ａ側へ搬送される。
【０００６】
また前記通路幅調整板５は、通路幅Ｗを商品Ｇの長さに応じて変更するべく、収納搬送路Ｓの上端近くから下端部にまで及ぶ長さを有するとともに、上下２箇所に亘って配設された平行リンク機構Ｋにより、通路幅Ｗ方向に配設された後述するガイド部材１０に沿ってスライド可能に配設されている。なお、コラムユニットＵの前から２列目の後に位置する通路幅調整板５と、前から３列目の前に位置する通路幅調整板５は、コストを削減するために、同じ形状とされている。通路幅調整板５と平行リンク機構Ｋにより通路幅調整装置が構成される。
【０００７】
また上記商品排出装置Ａは、商品払出指令信号（販売指令信号）に基づいて収納搬送路Ｓ内に積み重ねられた状態で収納された商品Ｇのうち下端より２番目の商品Ｇの搬出を規制しながらこの収納搬送路Ｓ内の下端の商品Ｇを排出する装置であり、取付スペースを少なくするために、コラムユニットＵ毎に、すなわち２本の収納搬送路Ｓ用に一体化された構造とされている。そして、コラムユニットＵの前後に対向する２本の通路幅調整板５の下端部には、商品排出装置Ａを取り出してメンテナンスできるように、切り欠き５Ｆが設けられている。また上下２箇所に亘って配設された平行リンク機構Ｋのうち、下方の平行リンク機構Ｋは、前記切り欠き５Ｆの上方に位置し、商品排出装置Ａを取り出す際の邪魔とならないようにしている。
【０００８】
前記平行リンク機構Ｋは、以下のように構成されている。
基端が側板２に回動自在に連結され、先端が側板２と平行に通路幅調整板５に設けた連動部材７に回動自在に連結された２本の揺動リンク６が、収納搬送路Ｓに臨む一方の側板２と連動部材７との上下２箇所に亘って配設されている。２本の揺動リンク６はそれぞれ、軸の成形品であり、側面視略コ字形状に折り曲げて形成されている。
【０００９】
また前記通路幅調整板５の上下二箇所には、揺動リンク６の幅よりも少し大なる間隔を隔てて、側板２側に向って突出する取付けフランジ部５Ｅが切り起こし形成されている。そして、この取付けフランジ部５Ｅには、揺動リンク６の先端側を外方に折り曲げ形成された連結軸６Ｆが第１揺動軸芯Ｘ１周りで相対回動自在に係合保持する長孔８が貫通形成されている。この長孔８を、揺動リンク６の揺動に伴う上下方向の変位代に相当する寸法またはそれよりも少し大きな寸法に形成することにより、揺動リンク６と通路幅調整板５との相対上下移動を一定範囲内で許容する構成としている。そして、取付けフランジ部５Ｅは、前記各揺動リンク６の通路幅調整板５側の第１揺動軸芯Ｘ１が、通路幅Ｗを広げる側に通路幅調整板５を移動操作したとき、一方の側板２側の第２揺動軸芯Ｘ２を中心として各揺動リンク６が下向きに揺動し、かつ通路幅Ｗを狭める側に通路幅調整板５を移動操作したとき、側板２側の第２揺動軸芯Ｘ２を中心として各揺動リンク６が上向きに揺動する位置に設けられている。
【００１０】
また、一方の側板２には、通路幅調整板５に枢支状態に連結された揺動リンク６の中間軸部６Ｇを下方から装着可能な軸受け片２Ｅが、通路幅調整板５側に打ち出し形成され、この軸受け片２Ｅ内に装着された揺動リンク６の中間軸部６Ｇが下方に抜け出さないように、揺動リンク６の中間軸部６Ｇを装着した状態で軸受け片２Ｅの打ち出し先端部分が一方の側板２側に直角に折り曲げ加工されている。
【００１１】
前記連結部材７は、揺動リンク６よりも少し広い幅で通路幅調整板５の長手方向に沿う帯状体に形成され、それの左右両側に折り曲げ形成されたフランジ部７Ｂの上下両端部には、各揺動リンク６の連結軸６Ｆが第１揺動軸芯Ｘ１方向から相対揺動自在に嵌入される軸受け部７Ｃが形成されている。この連結部材７は、各揺動リンク６の連結軸６Ｆが長孔８に案内されて上下動すると、連結軸６Ｆとともに上下動し、これにより、通路幅調整板５を常に側板２と平行な姿勢を維持するように構成されている。
【００１２】
上記構成により平行リンク機構Ｋは、一方の側板２に対して通路幅調整板５が最も近接して、他方の側板２と通路幅調整板５との距離が最大となる通路幅最大操作位置では、揺動リンク６の連結軸６Ｆが通路幅調整板５に設けた上下方向の長孔８の一端側である下端側８Ａに位置して、側板２と揺動リンク６とのなす角度が最小角度となり、また側板２に対して通路幅調整板５が最も離隔して、他方の側板２と幅調整板５との距離が最小となる通路幅最小操作位置では、揺動リンク６の連結軸６Ｆが幅調整板５の長孔８の他端側である上端側８Ｂに位置して、側板２と揺動リンク６とのなす角度が最大角度となるように構成され、前記長孔８の上端８Ｂ側が、通路幅調整板５が通路幅最小操作位置に向かうに従って長孔８が一方の側板２側に近接する傾きを有した傾斜（図示）又は円弧に形成されて、側板２と揺動リンク６とのなす角度を拡大するように構成されている。
【００１３】
また各通路幅調整板５毎に、通路幅調整板５または商品投入ガイド４に、通路幅調整板５、または通路幅調整板５および商品投入ガイド４を、上下方向及び通路幅方向に移動操作するための円形の指掛け操作部９が形成されており、また左右の側板２に渡って水平に、各通路幅調整板５の上端位置にガイド部材１０が配設され、各通路幅調整板５の上端に、各ガイド部材１０を通す長孔５Ｂが設けられている。そして、ガイド部材１０に、通路幅調整板５を複数の通路幅変更操作位置（例えば、通路幅Ｗが最大となる通路幅最大操作位置である第１通路幅変更操作位置Ｐ１と、通路幅Ｗが中間となる第２、第３通路幅変更操作位置Ｐ２，Ｐ３、及び、通路幅Ｗが最小となる通路幅最小操作位置である第４通路幅変更操作位置Ｐ４との４位置）が設定されており、指掛け操作部９を使用して、通路幅調整板５（あるいは通路幅調整板５および商品投入ガイド４）を上下方向及び通路幅方向に移動操作（スライド手動操作）することにより、各通路幅調整板５を通路幅変更操作位置に移動でき、また選択した位置を維持できるように構成されている。
【００１４】
このように、通路幅調整板５の位置を移動操作し通路幅Ｗを設定するとき、平行リンク機構Ｋにより、側板２と通路幅調整板５との間の距離が維持される。
なお、側板２には、各通路幅調整板２に最も近接する第１通路幅変更操作位置Ｐ１に移動操作したとき、該通路幅調整板５と側板２との間隔を小さくするために、平行リンク機構Ｋの一部と通路幅調整板５の一部が通路幅方向から入り込むスリット状の貫通孔２Ｆが設けられている。
【特許文献１】特開２００５−２０８９２９号公報
【発明の開示】
【発明が解決しようとする課題】
【００１５】
しかしながら、従来の自動販売機の通路幅調整装置では、上下２箇所の平行リンク機構Ｋにより通路幅調整板５を支持しているが、下方の平行リンク機構Ｋは前記切り欠き５Ｆの上方に位置し、商品排出装置Ａを取り出す際の邪魔にならないようにしているため、通路幅調整板５の下端部は平行リンク機構Ｋにより支持されていない状態（通路幅調整板５の片持ち梁のスパンが大きい状態）となっており、撓みの強度が弱く、下端部に商品Ｇがぶつかると、通路幅調整板５が撓み、これにより通路幅Ｗの寸法が拡大し、商品Ｇの姿勢が変わり、商品排出装置Ａより正常に排出できなくなる商品販売トラブルが発生する恐れがある。
【００１６】
そこで、撓みの強度を強くすることを目的として、図６に仮想線で示すように、通路幅調整板５の片持ち梁のスパンが小さくなるよう平行リンク機構Ｋの位置を下げると、平行リンク機構Ｋの揺動リンク６が切り欠き５Ｆより突出し、商品Ｇが引っ掛かり、姿勢が変わり、同様に商品販売トラブルが発生する。また商品排出装置Ａをメンテナンスのために引き出すことができなくなる。
【００１７】
また通路幅調整板５が側板２に最も近接する第１通路幅変更操作位置Ｐ１にあるとき、通路幅調整板５のフランジ部５Ｅが側板２の貫通孔２Ｆに挿入された状態にあり、このような状態にあるとき、平行リンク機構Ｋは直立状態（リンク角度がゼロに近い状態）にあるため、平行リンク機構Ｋのガタや側板２の強度不足により、図８に示すように、揺動リンク６が死点を超えて逆側に僅かに傾斜する場合があり、すなわちデッドリンクに陥いる場合があり、このようにデッドリンクに陥いると、通路幅調整板５を持ち上げた際に通路幅調整板５は側板２に接近するように移動してしまい、通路幅調整板５を持ち上げることができなくなり、通路幅調整板５を移動させることができなくなる。
【００１８】
またコラムユニットＵの前から２列目の後に位置する通路幅調整板５と、前から３列目の前に位置する通路幅調整板５は、コストを削減する目的で同形状とされているために、取り付ける際に、前後を誤って取り付けてしまう誤組立が生じる恐れがあった。
【００１９】
そこで、本発明は、上記従来の通路幅調整装置の構造に伴う様々に課題を解決するものであり、コストアップなしに、通路幅調整板の撓みの強度を向上でき、商品販売トラブルの発生を防止でき、またデッドリンクに陥いることがあっても、通路幅調整板を移動させることができ、また通路幅調整板の誤組立を防止できる自動販売機の通路幅調整装置を提供することを目的としたものである。
【課題を解決するための手段】
【００２０】
前述した目的を達成するために、本発明のうち請求項１に記載の発明は、上下方向に延びた互いに向かい合う一対の側板により商品の通路幅が規定され、複数の商品を略上下方向に積み重ねて収納する収納搬送路と、前記収納搬送路内に積み重ねられた状態で収納された商品のうち下端より２番目の商品の搬出を規制しながらこの収納搬送路内の下端の商品を排出する商品排出装置を備えた自動販売機に設けられ、前記収納搬送路の有効通路幅を調整する通路幅調整装置であって、前記収納搬送路の一方の側板に対して、前記通路幅の方向に位置調整自在に配設された通路幅調整板と、一側端が前記収納搬送路の一方の側板に取り付けられ、他側端が前記通路幅調整板の取り付けられた側面視略コ字形状の複数のリンクを有し、前記通路幅調整板を前記収納搬送路の一方の側板に対して略平行に支持するリンク機構とを備え、前記リンクの他端部をなす側面視略コ字形状の両端部を互いに内側に対向し、かつこれら両端部が前記収納搬送路側から見て通路幅調整板の裏側になるように配設したことを特徴とするものである。
【００２１】
上記構成によれば、リンクの他端部をなす平面視略コ字形状の両端部を互いに内側に対向することによりリンクは内向きになり、複数のリンクのうち通路幅調整板の下端に配設されるリンクの他端部を、収納搬送路における商品排出装置が対向して設けられている箇所に臨む位置に係止させた場合でも、リンクの両端部が商品排出装置が対向して設けられている箇所に突出すること、すなわち出っ張りが回避され、商品排出装置を引き出す際のメンテナンスのスペースが確保され、またリンクの幅が広がり、安定性が向上する。よって、通路幅調整板の下端に配設されるリンクの他端部を、収納搬送路における商品排出装置が対向して設けられている箇所に臨む位置に係止させることができ、通路幅調整板の下端に近い位置で通路幅調整板をリンク機構により支持することができ、コストアップなしに、通路幅調整板の片持ち梁のスパンが小さくなり、通路幅調整板の下端に商品が接触した際の通路幅調整板の撓みが少なくなり、すなわち通路幅調整板の撓みの強度が向上され、商品販売トラブルの発生が防止される。
【００２２】
また請求項２に記載の発明は、請求項１に記載の発明であって、前記通路幅調整板に、前記収納搬送路の一方の側板側に屈曲された一対の突出片部を形成し、これら一対の突出片部にそれぞれ、前記リンクの両端部を上下方向へ案内する長孔を設け、前記収納搬送路の一方の側板に、前記通路幅調整板が前記一方の側板側に接近した際に、前記各突出片部をそれぞれ前記収納搬送路の一方の側板の裏面側に突出させる挿通孔を形成し、少なくとも１つの前記突出片部に、前記通路幅調整板が持ち上げられた際に、前記挿通孔の上端壁面に当接して通路幅調整板を前記収納搬送路の一方の側板から離反させるテーパ面を形成したことを特徴とするものである。
【００２３】
上記構成によれば、通路幅調整板が持ち上げられた際に、突出片部のテーパ面は挿通孔の上端壁面に当接して通路幅調整板を収納搬送路の一方の側板から離反させる。よって、デッドリンクに陥いることがあっても、通路幅調整板を移動させることができる。
【００２４】
また請求項３に記載の発明は、請求項１に記載の発明であって、前記通路幅調整板に、前記収納搬送路の一方の側板側に屈曲された一対の突出片部を形成し、これら一対の突出片部にそれぞれ、前記リンクの両端部を上下方向へ案内する長孔を設け、前記収納搬送路の一方の側板に、前記通路幅調整板が前記一方の側板側に接近した際に、前記各突出片部をそれぞれ前記収納搬送路の一方の側板の裏面側に突出させる挿通孔を形成し、少なくとも１つの前記挿通孔の上端壁面に、前記通路幅調整板が持ち上げられた際に、前記突出片部に当接して通路幅調整板を前記収納搬送路の一方の側板から離反させるテーパ面を形成したことを特徴とするものである。
【００２５】
上記構成によれば、通路幅調整板が持ち上げられた際に、挿通孔の上端壁面のテーパ面は前記突出片部に当接して通路幅調整板を収納搬送路の一方の側板から離反させる。よって、デッドリンクに陥いることがあっても、通路幅調整板を移動させることができる。
【００２６】
また請求項４に記載の発明は、請求項１〜請求項３のいずれか１項に記載の発明であって、前記通路幅調整板に、この通路幅調整板を配設する収納搬送路と異なる収納搬送路に取り付けようとした場合に、前記商品排出装置の上方に設けた案内部品または商品排出装置に当接して取り付け不能とする取り付け収納搬送路識別用の突起部を形成したことを特徴とするものである。
【００２７】
上記構成によれば、取り付け収納搬送路識別用の突起部により、通路幅調整板を、この通路幅調整板を配設する収納搬送路と異なる収納搬送路に取り付けようとしても取り付けることができない。よって、誤って通路幅調整板を異なる収納搬送路に取り付ける誤組立が防止される。
【発明の効果】
【００２８】
本発明の自動販売機の通路幅調整装置は、通路幅調整板の下端に近い位置で通路幅調整板をリンク機構により支持することが可能となり、コストアップなしに、通路幅調整板の撓みの強度を向上でき、よって商品販売トラブルの発生を防止でき、またリンク機構のリンクは内向きとなることにより、リンクの両端部が商品排出装置が対向して設けられている箇所に突出すること、すなわち出っ張りを回避でき、よって商品排出装置を引き出す際のメンテナンスのスペースを確保できるとともに、リンクの幅を広げることができ、通路幅調整板の安定性を向上できる、という効果を有している。
【００２９】
また本発明の自動販売機の通路幅調整装置は、通路幅調整板が持ち上げられた際に、突出片部のテーパ面は、挿通孔の上端壁面に当接して通路幅調整板を収納搬送路の一方の側板から離反させることにより、デッドリンクに陥いることがあっても、通路幅調整板を移動させることができる、という効果を有している。
【００３０】
また本発明の自動販売機の通路幅調整装置は、通路幅調整板が持ち上げられた際に、挿通孔の上端壁面のテーパ面は、突出片部に当接して通路幅調整板を収納搬送路の一方の側板から離反させることにより、デッドリンクに陥いることがあっても、通路幅調整板を移動させることができる、という効果を有している。
【００３１】
また本発明の自動販売機の通路幅調整装置は、取り付け収納搬送路識別用の突起部により、通路幅調整板をこの通路幅調整板を配設する収納搬送路と異なる収納搬送路に取り付けようとしても取り付けることができないことにより、誤って通路幅調整板の誤組立を防止できる、という効果を有している。
【発明を実施するための最良の形態】
【００３２】
以下、本発明の実施の形態を、図面を参照しながら説明する。なお、背景の技術で説明した自動販売機の通路幅調整装置と同一の構成には、同一の符号を付して説明を省略する。
【００３３】
図１の自動販売機の内部側面図に示すように、上下の平行リンク機構Ｋのうち、通路幅調整板５の下端に配設される下方の平行リンク機構Ｋを、収納搬送路Ｓにおける商品排出装置Ａが対向する切り欠き５Ｆの位置まで下降させている。
【００３４】
そして、図２の自動販売機の通路幅調整装置の要部斜視図、および図３の側板方向から（通路幅調整板５等を裏側から）見た下方の平行リンク機構Ｋの構成図に示すように、上下の各平行リンク機構Ｋの揺動リンク６の先端側をそれぞれ内方に折り曲げて、揺動リンク６の他端部に相当する両連結軸６Ｆ’を形成し、互いに内側に対向させている。そして、これら両連結軸６Ｆ’はそれぞれ、両取付フランジ部５Ｅの長孔８に対して外方から、第１揺動軸芯Ｘ１周りで相対回動自在に係合保持されている。また上下の取付フランジ部５Ｅは、揺動リンク６の幅よりも少し小なる間隔を隔てて、通路幅調整板５より側板２側に向って突出するよう切り起こし形成されており、揺動リンク６は、長孔８に内向きに取り付けられている。
【００３５】
さらに下方の平行リンク機構Ｋの揺動リンク６の両連結軸６Ｆ’は、収納搬送路Ｓにおける商品排出装置Ａが対向して設けられている箇所に臨む位置に係止され、下方の平行リンク機構Ｋの揺動リンク６は、収納搬送路５側から見て通路幅調整板５の裏側になるように配設されている。
【００３６】
また連結部材７は、左右の取付フランジ部５Ｅ間の幅よりも少し小なる幅で通路幅調整板５の長手方向に沿う帯状体に形成されており、連結部材７の左右両側に折り曲げ形成されたフランジ部７Ｂの上下両端部に形成された軸受け部７Ｃに、各揺動リンク６の連結軸６Ｆ’が取付フランジ部５Ｅの長孔８を介して内向きに嵌入されている。そして、連結部材７は、各揺動リンク６の連結軸６Ｆ’が長孔８に案内されて上下動すると、連結軸６Ｆ’とともに上下動し、これにより、通路幅調整板５を常に側板２と平行な姿勢を維持するように構成されている。
【００３７】
このように、下方の平行リンク機構Ｋの揺動リンク６の両連結軸６Ｆ’が、収納搬送路Ｓにおける商品排出装置Ａが対向して設けられている箇所に臨む位置に係止されることにより、通路幅調整板５の下端に近い位置で通路幅調整板５をリンク機構Ｋにより支持でき、通路幅調整板５の片持ち梁のスパンを小さくしてやることができることによって、コストアップなしに、通路幅調整板５の下端に商品Ｇが接触した際の通路幅調整板５の撓みを少なくでき、すなわち通路幅調整板５の撓みの強度を向上でき、商品販売トラブルの発生を防止できる。また側面視略コ字形状の揺動リンク６の両連結軸６Ｆ’を互いに内側に対向することにより、揺動リンク６は内向きになり、揺動リンク６の両端部が商品排出装置Ａが対向して設けられている箇所に突出すること、すなわち出っ張りを回避でき、よって商品排出装置Ａを引き出す際のメンテナンスのスペースＭを確保でき、通路幅調整板５の安定性を向上できる。また通路幅調整板５の板厚を薄くすること、揺動リンク６の強度を落とすことが可能となる。
【００３８】
また図１に示すように、上下および左右の取付フランジ部５Ｅの上端で、かつ側板２側の端部は切り欠かれてテーパ面１１が形成されている。
このように、取付フランジ部５Ｅの上端部にテーパ面１１を設けることにより、図４（ａ），（ｂ），（ｃ）に示すように、通路幅調整板５が持ち上げられた際に、テーパ面１１は側板２の貫通孔２Ｆの上端壁面に当接して通路幅調整板５を側板２から離反させるように作用する。よって、リンク機構Ｋが、図４（ａ）に仮想線で示すようにデッドリンク状態に陥いっても、通路幅調整板５を持ち上げた際に、取付フランジ部５Ｅのテーパ面１１は側板２の貫通孔２Ｆの上端壁面に当接してずれて収納搬送路Ｓ側へ移動することにより、すなわち通路幅調整板５を収納搬送路Ｓの一方の側板２から離反させることにより、通路幅調整板５を持ち上げることができ、以後、移動させて、希望の収納搬送路Ｓを形成することができる。
【００３９】
また図１および図３に示すように、通路幅調整板５には、この通路幅調整板５を配設する収納搬送路Ｓと異なる収納搬送路Ｓに取り付けようとした場合に、商品排出装置Ａの上方に設けた案内部品２１（または商品排出装置Ａ）に当接して取り付け不能とする、取り付け収納搬送路識別用の突起部５Ｇが形成されている。この取り付け収納搬送路識別用の突起部５Ｇにより、通路幅調整板５を、この通路幅調整板５を配設する収納搬送路Ｓと異なる収納搬送路Ｓに取り付けようとしても取り付けることができない。よって、誤って通路幅調整板５を異なる収納搬送路Ｓに取り付ける誤組立を防止することができる。
【００４０】
なお、本実施の形態では、取付フランジ部５Ｅの上端にテーパ面１１を設けているが、取付フランジ部５Ｅにテーパ面１１を設けることに代えて、図５（ａ）に示すように、側板２の貫通孔（挿通孔）２Ｆの上端壁面に、通路幅調整板５を持ち上げたとき、取付フランジ部５Ｅの上端を斜め上方（収納搬送路Ｓ側）に導く案内部材（テーパ面を有する部材）３１を設けるようにすることも可能である。このときも、同様に、リンク機構Ｋがデッドリンク状態に陥いっても、通路幅調整板５が持ち上げられた際に、側板２の貫通孔２Ｆの案内部材（テーパ面）３１は取付フランジ部５Ｅに当接して通路幅調整板５を収納搬送路Ｓの一方の側板２から離反させることにより、通路幅調整板５を持ち上げることができ、移動させることができる。またこの案内部材（テーパ面）３１は、少なくとも１つの側板２の貫通孔（挿通孔）２Ｆの上端壁面に設ければよい。さらに、図５（ｂ）に示すように、取付フランジ部５Ｅを切り欠いてテーパ面を形成することに代えて、同様に、取付フランジ部５Ｅの側板２側の上端部に、通路幅調整板５を持ち上げたとき、取付フランジ部５Ｅを斜め上方（収納搬送路Ｓ側）に導く案内部材（テーパ面を有する部材）３２を設けるようにすることも可能であり、このとき、この案内部材（テーパ面）は、少なくとも１つの取付フランジ部５Ｅに設ければよい。
【００４１】
また本実施の形態では、揺動リンク６を軸の成形品としているが、樹脂成形品や板金プレス部品としてもよい。
また本実施の形態では、上下の平行リンク機構Ｋとも、揺動リンク６を内向きとしているが、少なくとも、下方に位置する平行リンク機構Ｋだけ、その揺動リンク６を内向きとすればよい。
【００４２】
また本実施の形態では、全ての通路幅調整板５に突起部５Ｇを設けているが、少なくとも、同じ寸法としている通路幅調整板５（図１では２列目の後に位置する通路幅調整板５および前から３列目の前に位置する通路幅調整板５）に設けるようにすればよい。
【図面の簡単な説明】
【００４３】
【図１】本発明の実施の形態における自動販売機の通路幅調整装置を備えた自動販売機の内部側面図である。
【図２】同自動販売機の通路幅調整装置の要部斜視図である。
【図３】同通路幅調整装置の下方の平行リンク機構Ｋを側板方向から見た構成図である。
【図４】同通路幅調整装置の動作を説明する図であり、（ａ）はリンク機構が側板に収納されているときの側面図、（ｂ）は通路幅調整板が上方へ持ち上げられたときの側面図、（ｃ）は通路幅調整板が移動されたときの側面図である。
【図５】本発明の他の実施の形態における自動販売機の通路幅調整装置の要部拡大側面図である。
【図６】従来の通路幅調整装置を備えた自動販売機の内部側面図である。
【図７】従来の通路幅調整装置の要部斜視図である。
【図８】従来の自動販売機の通路幅調整装置のリンク機構が側板に収納されているときの側面図である。
【図９】従来の自動販売機の通路幅調整装置の通路幅調整板が、第１通路幅変更操作位置にあるときの有効通路幅を示す図である。
【図１０】従来の自動販売機の通路幅調整装置の通路幅調整板が、第４通路幅変更操作位置にあるときの有効通路幅を示す図である。
【符号の説明】
【００４４】
Ａ    商品排出装置
Ｇ    商品
Ｋ    平行リンク機構
Ｓ    収納搬送路
Ｗ    通路幅
Ｘ１  第１揺動軸心
Ｘ２  第２揺動軸心
１     商品投入口
２    側板
５    通路幅調整板
５Ａ  フランジ部
５Ｅ  取付フランジ部（突出片部）
５Ｆ  切り欠き
５Ｇ  突起部
６    揺動リンク（リンク）
６Ｆ’  連結軸
６Ｇ  中間軸部
７    連結部材
８    長孔
１１  テーパ面
２１  案内部品
３１，３２  案内部材
【図１】
2007293638.tif 000003
【図２】
2007293638.tif 000004
【図３】
2007293638.tif 000005
【図４】
2007293638.tif 000006
【図５】
2007293638.tif 000007
【図６】
2007293638.tif 000008
【図７】
2007293638.tif 000009
【図８】
2007293638.tif 000010
【図９】
2007293638.tif 000011
【図１０】
2007293638.tif 000012